(57)【要約】【課題】コミュニティの中における情報流通の管理を行う上で、コミュニティを構成するユーザそれぞれの属性に応じた権限の違いに基づく情報流通の管理制御を行う。【解決手段】本発明は、個人端末装置から情報流通手段の操作に関する実行要求とコミュニティ構成主体のＩＤに基づいてコミュニティ構成主体のコミュニティにおける情報流通に関する権限情報を検索し、検索した該コミュニティ構成主体のコミュニティにおける情報流通の操作に関する権限情報を参照し、該コミュニティ構成主体が要求する情報流通の操作に対する権限の有無を判断する。【選択図】　　　図１
2004110545.tif 000002
【特許請求の範囲】
【請求項１】
ネットワーク上で情報流通手段を提供する情報流通装置と、該情報流通装置を利用する個人端末装置を有するコミュニティ構成主体と、情報流通に関する権限判断を行うコミュニティ情報管理装置により構成されるコミュニティでのコミュニティ情報流通管理方法において、
前記コミュニティ情報管理装置は、
コミュニティを構成する少なくとも１つの前記個人端末装置を有するコミュニティ構成主体に対して、該コミュニティ構成主体を一意に決定するＩＤを発行し、
前記各コミュニティ構成主体の名称と、前記ＩＤと、属性情報と、コミュニティにおける情報流通に関する権限情報と、該コミュニティ構成主体の前記個人端末装置のネットワーク上での接続に関する情報とを、コミュニティユーザ情報として格納管理し、
前記情報流通装置は、
前記コミュニティ構成主体の前記情報流通装置に対して行う情報流通手段の操作に関する実行要求を該コミュニティ構成主体の前記ＩＤと共に、前記コミュニティ情報管理装置に送信し、
前記コミュニティ情報管理装置は、
前記個人端末装置から前記情報流通手段の操作に関する実行要求と前記コミュニティ構成主体のＩＤを、前記情報流通装置を介して受け取り、該ＩＤに基づいて該コミュニティ構成主体を認証し、特定し、
前記ＩＤに基づいて前記コミュニティ構成主体のコミュニティにおける情報流通に関する権限情報を検索し、検索した該コミュニティ構成主体のコミュニティにおける情報流通の操作に関する権限情報を参照し、該コミュニティ構成主体が要求する情報流通の操作に対する権限の有無を判断し、
判断結果に基づいて、前記コミュニティ構成主体が権限を有すると判断した場合、該コミュニティ構成主体に許可される範囲内で、かつ、該コミュニティ構成主体の要求を反映させる情報流通先となるコミュニティ構成主体と、該コミュニティ構成主体が有する個人端末装置との接続に必要な情報を記述した回答リストを作成し、
前記回答リストを前記情報流通装置に提供し、
前記情報流通装置は、
前記コミュニティ情報管理装置から受け取った回答リストに基づいて、該回答リストに記述されている情報流通先の個人端末装置に対して、要求を実行することを特徴とするコミュニティ情報流通管理方法。
【請求項２】
前記コミュニティユーザ情報は、各コミュニティ構成主体の名称、ＩＤ、属性情報、コミュニティにおける情報流通に関する権限情報、及び、該コミュニティ構成主体でのネットワーク上の接続先に関する情報を規定した情報である請求項１記載のコミュニティ情報流通管理方法。
【請求項３】
前記コミュニティ情報管理装置において、
各コミュニティ構成主体の名称、ＩＤ、属性情報、コミュニティにおける情報流通に関する権限情報、及び、該コミュニティ構成主体でのネットワーク上の接続先に関する情報を規定した情報を前記コミュニティユーザ情報として格納・管理する請求項１記載のコミュニティ情報流通管理方法。
【請求項４】
前記コミュニティ情報管理装置において、
コミュニティを構成する少なくとも１つのコミュニティ構成主体に対し、コミュニティ構成主体を、一意的に決定するＩＤを発行する請求項１記載のコミュニティ情報流通管理方法。
【請求項５】
前記コミュニティ情報管理装置において、
前記個人端末装置から情報流通手段の操作に関する実行要求とコミュニティ構成主体のＩＤを、前記情報流通装置を介して受け取り、前記ＩＤに基づいて、該コミュニティ構成主体を認証し、特定する請求項１記載のコミュニティ情報流通管理方法。
【請求項６】
前記コミュニティ情報管理装置において、
前記ＩＤに基づいて、前記コミュニティ構成主体のコミュニティにおける情報流通の関する権限情報を検索し、検索した該コミュニティ構成主体のコミュニティにおける情報流通の操作に関する権限情報を参照し、該コミュニティ構成主体が要求する情報流通の操作に対する権限の有無を判断する請求項１記載のコミュニティ情報流通管理方法。
【請求項７】
前記コミュニティ情報管理装置において、
前記判断結果に基づいて、前記コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した前記回答リストを作成する請求項１記載のコミュニティ情報流通管理方法。
【請求項８】
前記コミュニティ情報管理装置において、
前記回答リストを前記情報流通装置に提供する請求項１記載のコミュニティ情報流通管理方法。
【請求項９】
前記情報流通装置において、
前記コミュニティ管理装置から受け取った前記回答リストの内容を解釈し、該回答リストに記述されている情報流通先の個人端末装置に対して、要求を実行する請求項１記載のコミュニティ情報流通管理方法。
【請求項１０】
ネットワーク上で情報流通手段を提供する情報流通装置と、該情報流通装置を利用する個人端末装置を有するコミュニティ構成主体を有するシステムにおいて、該コミュニティ構成主体の該情報流通装置の利用に関して権限判断を行い、該情報流通装置を利用したコミュニティ内での情報流通を管理するコミュニティ情報管理装置であって、
コミュニティを構成する少なくとも１つの前記個人端末装置を有するコミュニティ構成主体に対して、該コミュニティ構成主体を一意的に決定するＩＤを発行するＩＤ発行手段と、
各コミュニティ構成主体の名称、前記ＩＤ、属性情報、コミュニティにおける情報流通に関する権限情報、及び、該コミュニティ構成主体の前記個人端末装置のネットワーク上での接続に関する情報とをコミュニティユーザ情報として、格納・管理するコミュニティ情報データベースと、
前記個人端末装置から情報流通手段の操作に関する実行要求と前記コミュニティ構成主体のＩＤを、前記情報流通装置を介して受け取り、該ＩＤに基づいて、該コミュニティ構成主体を認証し、特定するＩＤ認証手段と、
前記ＩＤに基づいて、前記コミュニティ構成主体のコミュニティにおける情報流通に関する権限情報を検索する検索手段と、
検索した前記コミュニティ構成主体のコミュニティにおける情報流通の操作に関する権限情報を参照し、該コミュニティ構成主体が要求する情報流通の操作に対する権限の有無を判断する権限判断手段と、
前記権限判断手段の判断結果に基づいて、前記コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する回答リスト作成手段と、
前記個人端末装置から前記情報流通手段の操作に関する実行要求とＩＤを、前記情報流通装置を介して受信し、前記回答リストを前記情報流通装置に提供する外部アクセス手段と、を有することを特徴とするコミュニティ情報管理装置。
【請求項１１】
ネットワーク上で情報流通手段を提供する情報流通装置と、該情報流通装置を利用する個人端末装置を有するコミュニティ構成主体を有するシステムにおいて、該コミュニティ構成主体の該情報流通装置の利用に関して権限判断を行い、該情報流通装置を利用したコミュニティ内での情報流通を管理するコミュニティ情報管理装置が実行するコミュニティ情報流通管理プログラムであって、
コミュニティを構成する少なくとも１つの前記個人端末装置を有するコミュニティ構成主体に対して、該コミュニティ構成主体を一意的に決定するＩＤを発行するＩＤ発行ステップと、
各コミュニティ構成主体の名称、前記ＩＤ、属性情報、コミュニティにおける情報流通に関する権限情報、及び、該コミュニティ構成主体の前記個人端末装置のネットワーク上での接続に関する情報とをコミュニティユーザ情報として、コミュニティ情報データベースに格納する格納ステップと、
前記個人端末装置から情報流通手段の操作に関する実行要求と前記コミュニティ構成主体のＩＤを、前記情報流通装置を介して受け取り、該ＩＤに基づいて、該コミュニティ構成主体を認証し、特定するＩＤ認証ステップと、
前記ＩＤに基づいて、前記コミュニティ構成主体のコミュニティにおける情報流通に関する権限情報を検索する検索ステップと、
検索した前記コミュニティ構成主体のコミュニティにおける情報流通の操作に関する権限情報を参照し、該コミュニティ構成主体が要求する情報流通の操作に対する権限の有無を判断する権限判断ステップと、
前記権限判断ステップの判断結果に基づいて、前記コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する回答リスト作成ステップと、
前記個人端末装置から前記情報流通手段の操作に関する実行要求とＩＤを、前記情報流通装置を介して受信し、前記回答リストを前記情報流通装置に提供する外部アクセスステップと、を実行することを特徴とするコミュニティ情報流通管理プログラム。
【請求項１２】
ネットワーク上で情報流通手段を提供する情報流通装置と、該情報流通装置を利用する個人端末装置を有するコミュニティ構成主体を有するシステムにおいて、該コミュニティ構成主体の該情報流通装置の利用に関して権限判断を行い、該情報流通装置を利用したコミュニティ内での情報流通を管理するコミュニティ情報管理装置が実行するコミュニティ情報流通管理プログラムを格納した記憶媒体であって、
コミュニティを構成する少なくとも１つの前記個人端末装置を有するコミュニティ構成主体に対して、該コミュニティ構成主体を一意的に決定するＩＤを発行するＩＤ発行ステップと、
各コミュニティ構成主体の名称、前記ＩＤ、属性情報、コミュニティにおける情報流通に関する権限情報、及び、該コミュニティ構成主体の前記個人端末装置のネットワーク上での接続に関する情報とをコミュニティユーザ情報として、コミュニティ情報データベースに格納する格納ステップと、
前記個人端末装置から情報流通手段の操作に関する実行要求と前記コミュニティ構成主体のＩＤを、前記情報流通装置を介して受け取り、該ＩＤに基づいて、該コミュニティ構成主体を認証し、特定するＩＤ認証ステップと、
前記ＩＤに基づいて、前記コミュニティ構成主体のコミュニティにおける情報流通に関する権限情報を検索する検索ステップと、
検索した前記コミュニティ構成主体のコミュニティにおける情報流通の操作に関する権限情報を参照し、該コミュニティ構成主体が要求する情報流通の操作に対する権限の有無を判断する権限判断ステップと、
前記権限判断ステップの判断結果に基づいて、前記コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する回答リスト作成ステップと、
前記個人端末装置から前記情報流通手段の操作に関する実行要求とＩＤを、前記情報流通装置を介して受信し、前記回答リストを前記情報流通装置に提供する外部アクセスステップと、を有することを特徴とするコミュニティ情報流通管理プログラムを格納した記憶媒体。
【発明の詳細な説明】
【０００１】
【発明の属する技術分野】
本発明は、コミュニティ情報流通管理方法及びコミュニティ情報管理装置及びコミュニティ情報流通管理プログラム及びコミュニティ情報流通管理プログラムを格納した記憶媒体に係り、特に、メーリングリスト、電子掲示板、チャット、テレビ会議などの情報流通手段を有する情報流通装置と、情報流通装置を利用する少なくとも一人のコミュニティ構成主体とで構成される情報流通の管理を行う場合において、コミュニティを構成するコミュニティ構成主体の属性による権限に基づきコミュニティ構成主体の情報流通装置の利用を制御するコミュニティ情報流通管理方法及びコミュニティ情報管理装置及びコミュニティ情報流通管理プログラム及びコミュニティ情報流通管理プログラムを格納した記憶媒体に関する。
【０００２】
【従来の技術】
複数のユーザがオンライン通信システムを介して集まるコミュニティにおける、情報流通の手段としては、同一コミュニティのユーザそれぞれのメールアドレスが登録されたメーリングリストによる情報配信や、コミュニティ内で自由に閲覧・書き込みができる電子掲示板、チャット、ＴＶ会議などがある。これらの方法では、コミュニティに登録されている全てのユーザに一括して情報が配信され、配信された情報内容は登録された全てのユーザが見ることができ、さらに全てのユーザがコミュニティ全体に対して同じように情報発信を行うことができる。また、ネットワーク上におけるユーザの活動範囲を管理し、ユーザの通信サービスの利用要求に対して、通信サービスを受ける権限があるかを判定し、エンドユーザ端末に通知する方法など、サービスの利用を管理するコミュニティ管理方法及びシステムがある（例えば、特許文献１参照）。
【０００３】
【特許文献１】
特願平８−１６４７９２号。
【０００４】
【発明が解決しようとする課題】
しかしながら、組織化されたコミュニティや、異なる複数の属性のユーザにより構成されるコミュニティでの情報流通では、単に情報流通サービスの利用の可・不可を判定する利用管理だけではなく、当該情報流通サービスの中にも、オブザーバとして位置付けられたユーザがいて、そのようなユーザからの返答（投稿）を制限したい場面も考えられる。しかし、従来の方法では、ユーザの属性による権限の違いに基づく情報流通の管理制御は実現されていない。
【０００５】
本発明は、上記の点に鑑みなされたもので、コミュニティの中における情報流通の管理を行う上で、コミュニティを構成するユーザ（以下、コミュニティ構成主体）それぞれの属性に応じた権限の違いに基づく情報流通の管理制御を行うことが可能なコミュニティ情報流通管理方法及びコミュニティ情報管理装置及びコミュニティ情報流通管理プログラム及びコミュニティ情報流通管理プログラムを格納した記憶媒体を提供することを目的とする。
【０００６】
【課題を解決するための手段】
図１は、本発明の原理を説明するための図である。
【０００７】
本発明は、ネットワーク上で情報流通手段を提供する情報流通装置と、該情報流通装置を利用する個人端末装置を有するコミュニティ構成主体と、情報流通に関する権限判断を行うコミュニティ情報管理装置により構成されるコミュニティでのコミュニティ情報流通管理方法において、
コミュニティ情報管理装置は、
コミュニティを構成する少なくとも１つの個人端末装置を有するコミュニティ構成主体に対して、該コミュニティ構成主体を一意に決定するＩＤを発行し（ステップ１）、
各コミュニティ構成主体の名称と、ＩＤと、属性情報と、コミュニティにおける情報流通に関する権限情報と、該コミュニティ構成主体の個人端末装置のネットワーク上での接続に関する情報とを、コミュニティユーザ情報として格納管理し（ステップ２）、
情報流通装置は、
コミュニティ構成主体の情報流通装置に対して行う情報流通手段の操作に関する実行要求を該コミュニティ構成主体のＩＤと共に、コミュニティ情報管理装置に送信し（ステップ３）、
コミュニティ情報管理装置は、
個人端末装置から情報流通手段の操作に関する実行要求とコミュニティ構成主体のＩＤを、情報流通装置を介して受け取り、該ＩＤに基づいて該コミュニティ構成主体を認証し、特定し（ステップ４）、
ＩＤに基づいてコミュニティ構成主体のコミュニティにおける情報流通に関する権限情報を検索し、検索した該コミュニティ構成主体にのコミュニティにおける情報流通の操作に関する権限情報を参照し、該コミュニティ構成主体が要求する情報流通の操作に対する権限の有無を判断し（ステップ５）、
判断結果に基づいて、コミュニティ構成主体が権限を有すると判断した場合、該コミュニティ構成主体に許可される範囲内で、かつ、該コミュニティ構成主体の要求を反映させる情報流通先となるコミュニティ構成主体と、該コミュニティ構成主体が有する個人端末装置との接続に必要な情報を記述した回答リストを作成し（ステップ６）、
回答リストを情報流通装置に提供し（ステップ７）、
情報流通装置は、
コミュニティ情報管理装置から受け取った回答リストに基づいて、該回答リストに記述されている情報流通先の個人端末装置に対して、要求を実行する（ステップ８）。
【０００８】
本発明において、コミュニティユーザ情報は、各コミュニティ構成主体の名称、ＩＤ、属性情報、コミュニティにおける情報流通に関する権限情報、及び、該コミュニティ構成主体でのネットワーク上の接続先に関する情報を規定した情報である。
【０００９】
本発明は、コミュニティ情報管理装置において、
各コミュニティ構成主体の名称、ＩＤ、属性情報、コミュニティにおける情報流通に関する権限情報、及び、該コミュニティ構成主体でのネットワーク上の接続先に関する情報を規定した情報をコミュニティユーザ情報として格納・管理する。
【００１０】
本発明は、コミュニティ情報管理装置において、
コミュニティを構成する少なくとも１つのコミュニティ構成主体に対し、コミュニティ構成主体を、一意的に決定するＩＤを発行する。
【００１１】
本発明は、コミュニティ情報管理装置において、
個人端末装置から情報流通手段の操作に関する実行要求とコミュニティ構成主体のＩＤを、情報流通装置を介して受け取り、ＩＤに基づいて、該コミュニティ構成主体を認証し、特定する。
【００１２】
本発明は、コミュニティ情報管理装置において、
ＩＤに基づいて、コミュニティ構成主体のコミュニティにおける情報流通の関する権限情報を検索し、検索した該コミュニティ構成主体のコミュニティにおける情報流通の操作に関する権限情報を参照し、該コミュニティ構成主体が要求する情報流通の操作に対する権限の有無を判断する。
【００１３】
本発明は、コミュニティ情報管理装置において、
判断結果に基づいて、コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する。
【００１４】
本発明は、コミュニティ情報管理装置において、回答リストを情報流通装置に提供する。
【００１５】
本発明は、情報流通装置において、コミュニティ管理装置から受け取った回答リストの内容を解釈し、該回答リストに記述されている情報流通先の個人端末装置に対して、要求を実行する。
【００１６】
図２は、本発明の原理構成図である。
【００１７】
本発明は、ネットワーク上で情報流通手段を提供する情報流通装置と、該情報流通装置を利用する個人端末装置を有するコミュニティ構成主体を有するシステムにおいて、該コミュニティ構成主体の該情報流通装置の利用に関して権限判断を行い、該情報流通装置を利用したコミュニティ内での情報流通を管理するコミュニティ情報管理装置であって、
コミュニティを構成する少なくとも１つの個人端末装置を有するコミュニティ構成主体に対して、該コミュニティ構成主体を一意的に決定するＩＤを発行するＩＤ発行手段１２と、
各コミュニティ構成主体の名称、ＩＤ、属性情報、コミュニティにおける情報流通に関する権限情報、及び、該コミュニティ構成主体の個人端末装置のネットワーク上での接続に関する情報とをコミュニティユーザ情報として、格納・管理するコミュニティ情報データベース１１と、
個人端末装置から情報流通手段の操作に関する実行要求とコミュニティ構成主体のＩＤを、情報流通装置を介して受け取り、該ＩＤに基づいて、該コミュニティ構成主体を認証し、特定するＩＤ認証手段１３と、
ＩＤに基づいて、コミュニティ構成主体のコミュニティにおける情報流通に関する権限情報を検索する検索手段１５と、
検索したコミュニティ構成主体のコミュニティにおける情報流通の操作に関する権限情報を参照し、該コミュニティ構成主体が要求する情報流通の操作に対する権限の有無を判断する権限判断手段１６と、
権限判断手段１６の判断結果に基づいて、コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する回答リスト作成手段１７と、
個人端末装置から情報流通手段の操作に関する実行要求とＩＤを、情報流通装置を介して受信し、回答リストを情報流通装置に提供する外部アクセス手段１４と、を有する。
【００１８】
本発明は、ネットワーク上で情報流通手段を提供する情報流通装置と、該情報流通装置を利用する個人端末装置を有するコミュニティ構成主体を有するシステムにおいて、該コミュニティ構成主体の該情報流通装置の利用に関して権限判断を行い、該情報流通装置を利用したコミュニティ内での情報流通を管理するコミュニティ情報管理装置が実行するコミュニティ情報流通管理プログラムであって、　コミュニティを構成する少なくとも１つの個人端末装置を有するコミュニティ構成主体に対して、該コミュニティ構成主体を一意的に決定するＩＤを発行するＩＤ発行ステップと、
各コミュニティ構成主体の名称、ＩＤ、属性情報、コミュニティにおける情報流通に関する権限情報、及び、該コミュニティ構成主体の個人端末装置のネットワーク上での接続に関する情報とをコミュニティユーザ情報として、コミュニティ情報データベースに格納する格納ステップと、
個人端末装置から情報流通手段の操作に関する実行要求とコミュニティ構成主体のＩＤを、情報流通装置を介して受け取り、該ＩＤに基づいて、該コミュニティ構成主体を認証し、特定するＩＤ認証ステップと、
ＩＤに基づいて、コミュニティ構成主体のコミュニティにおける情報流通に関する権限情報を検索する検索ステップと、
検索したコミュニティ構成主体のコミュニティにおける情報流通の操作に関する権限情報を参照し、該コミュニティ構成主体が要求する情報流通の操作に対する権限の有無を判断する権限判断ステップと、
権限判断ステップの判断結果に基づいて、コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する回答リスト作成ステップと、
個人端末装置から情報流通手段の操作に関する実行要求とＩＤを、情報流通装置を介して受信し、回答リストを情報流通装置に提供する外部アクセスステップと、を実行する。
【００１９】
本発明は、ネットワーク上で情報流通手段を提供する情報流通装置と、該情報流通装置を利用する個人端末装置を有するコミュニティ構成主体を有するシステムにおいて、該コミュニティ構成主体の該情報流通装置の利用に関して権限判断を行い、該情報流通装置を利用したコミュニティ内での情報流通を管理するコミュニティ情報管理装置が実行するコミュニティ情報流通管理プログラムを格納した記憶媒体であって、
コミュニティを構成する少なくとも１つの個人端末装置を有するコミュニティ構成主体に対して、該コミュニティ構成主体を一意的に決定するＩＤを発行するＩＤ発行ステップと、
各コミュニティ構成主体の名称、ＩＤ、属性情報、コミュニティにおける情報流通に関する権限情報、及び、該コミュニティ構成主体の個人端末装置のネットワーク上での接続に関する情報とをコミュニティユーザ情報として、コミュニティ情報データベースに格納する格納ステップと、
個人端末装置から情報流通手段の操作に関する実行要求とコミュニティ構成主体のＩＤを、情報流通装置を介して受け取り、該ＩＤに基づいて、該コミュニティ構成主体を認証し、特定するＩＤ認証ステップと、
ＩＤに基づいて、コミュニティ構成主体のコミュニティにおける情報流通に関する権限情報を検索する検索ステップと、
検索したコミュニティ構成主体のコミュニティにおける情報流通の操作に関する権限情報を参照し、該コミュニティ構成主体が要求する情報流通の操作に対する権限の有無を判断する権限判断ステップと、
権限判断ステップの判断結果に基づいて、コミュニティ構成主体が権限を有すると判断した場合、該コミュニティ構成主体に許可される範囲内で、且つ、該コミュニティ構成主体の要求を反映させる情報流通先となるコミュニティ構成主体と、該コミュニティ構成主体が有する個人端末装置との接続に必要な情報を記述した回答リストを作成する回答リスト作成ステップと、
個人端末装置から情報流通手段の操作に関する実行要求とＩＤを、情報流通装置を介して受信し、回答リストを情報流通装置に提供する外部アクセスステップと、を有する。
【００２０】
上記のように、本発明では、各コミュニティ構成全体の情報流通手段に関する権限情報を管理し、コミュニティ構成主体の情報流通装置に対する操作実行要求に関して、実行の許可・不許可を情報流通装置に通知することにより、コミュニティ内における情報流通装置の利用制御を行う。これにより、コミュニティ構成主体毎の情報流通装置の利用制御が可能となるため、属性に応じた権限の違いを表現することができる。
【００２１】
また、コミュニティ情報管理装置は、コミュニティ情報を一元的に管理しているため、異なる情報流通手段を有する複数の情報流通装置を対象として、コミュニティ構成主体の属性に応じた権限を共通に反映させることが可能であり、コミュニティ全体を統括管理することができる。
【００２２】
【発明の実施の形態】
以下、図面と共に本発明の実施の形態について説明する。
【００２３】
図３は、本発明の一実施の形態におけるコミュニティの中での情報流通管理方法が適用されるプラットフォームを示す。
【００２４】
同図に示すプラットフォームは、コミュニティ情報管理装置１と、ネットワーク上でコミュニティを構成するための情報流通手段を提供する情報流通装置２と、情報流通装置２を利用する個人端末装置３を有するコミュニティ構成主体４とによって構成される。
【００２５】
コミュニティ情報管理装置１は、コミュニティユーザ情報として、各コミュニティ構成主体４の名称と、各コミュニティ構成主体４に発行されるＩＤと、各コミュニティ構成主体の属性情報と、メールアドレス、ＩＰアドレス、ポート番号など各コミュニティ構成主体４の個人端末装置３とのネットワーク上での接続に関する情報と、各コミュニティ構成主体４のメール送受信、ＴＶ会議システムとの接続、電子掲示板への書き込み、閲覧などの情報流通手段の操作に関する実行権限情報とを格納管理している。コミュニティユーザ情報の属性情報や権限情報の項目は、限定されるものではなく、また、コミュニティユーザ情報の登録方法は限定されるものではない。
【００２６】
コミュニティ情報管理装置１は、コミュニティにおいてコミュニティ構成主体４が、個人端末装置３を用いて行う、メール送受信、ＴＶ会議システムとの接続、電子掲示板への書き込み、閲覧などの情報が情報流通手段の操作に関する実行要求について、コミュニティ構成主体４が実行権限を有しているか否かを判断する。
【００２７】
また、コミュニティ情報管理装置１は、コミュニティユーザ情報として、メールアドレス、ＩＰアドレス、ポート番号などの各コミュニティ構成主体４の個人端末装置３とのネットワーク上での接続に関する情報を格納管理しており、コミュニティ構成主体４に許可される範囲内で、且つコミュニティ構成主体４の要求を反映させる情報流通先となる個人端末装置の接続に必要な情報を記述した回答リストを作成し、情報流通装置２に提供する。
【００２８】
本発明において、情報流通装置２が有する情報流通手段は、限定される必要はなく、メーリングリスト、ＢＢＳ、チャット、テレビ会議システムなどであってもよい。
【００２９】
情報流通装置２は、コミュニティ構成主体４が個人端末装置３により情報流通装置２に対して行う情報流通手段の操作に関する実行要求について、当該コミュニティ構成主体４の権限の有無をコミュニティ情報管理装置１に問い合わせるために、コミュニティ構成主体４のＩＤと共に要求内容を記述した要求リストを作成する。
【００３０】
また、情報流通装置２は、コミュニティ情報管理装置１から提供される回答リスト内容を解釈する。
【００３１】
以下、上記の構成について詳細に説明する。
【００３２】
図４は、本発明の一実施の形態におけるシステム構成図である。
【００３３】
同図に示すシステムは、コミュニティ情報管理装置１、情報流通装置２、コミュニティ構成主体４が有する個人端末装置３からなり、これらの装置は、それぞれネットワーク上にあるものとする。
【００３４】
同図に示すコミュニティ情報管理装置１は、コミュニティ情報データベース部１１、ＩＤ発行部１２、ＩＤ認証部１３、外部アクセス部１４、情報検索部１５、権限判断部１６、リスト作成部１７から構成される。
【００３５】
コミュニティ情報データベース部１１は、各コミュニティ構成主体４の名称と、各コミュニティ構成主体４に発行されるＩＤと、各コミュニティ構成主体４の属性情報と、メールアドレス、ＩＰアドレス、ポート番号など各コミュニティ構成主体４の個人端末装置３とのネットワーク上での接続に関する情報と、各コミュニティ構成主体４のメール送受信、ＴＶ会議システムとの接続、電子掲示板への書き込み、閲覧などの情報流通手段の操作に関する実行権限の権限情報をコミュニティユーザ情報１８としてデータベース化し、蓄積するための記憶媒体である。
【００３６】
ＩＤ発行部１２は、コミュニティを構成するコミュニティ構成主体４に対し、当該コミュニティ構成主体４を一意的に決定するＩＤを発行する。
【００３７】
ＩＤ認証部１３は、ＩＤを基に、コミュニティ構成主体４を認証し、特定する。
【００３８】
外部アクセス部１４は、情報流通装置２からの入力、及び情報流通装置２に回答リスト作成部１７により作成される回答リストの提供を行うためのインタフェースである。
【００３９】
情報検索部１５は、コミュニティ構成主体４のＩＤを基に、コミュニティ情報データベース部１１から、コミュニティ構成主体４のコミュニティにおける情報流通に関する権限情報の検索を行う。
【００４０】
権限判断部１６は、情報検索部１５により検索されたコミュニティ構成主体４のコミュニティにおける情報流通に関する権限情報を参照し、コミュニティでの属性、及び権限情報を参照し、情報流通手段の操作に関する実行要求に対する該コミュニティ構成主体４の権限の有無を判断する。
【００４１】
回答リスト作成部１７は、コミュニティ構成主体４に許可される範囲内で、且つ当該コミュニティ構成主体４の要求を反映させる情報流通先となる個人端末装置３の接続に必要な情報を記述した回答リストを作成する。
【００４２】
図４の情報流通装置２は、情報流通手段２１、要求リスト作成部２２、回答リスト解釈部２３から構成される。
【００４３】
要求リスト作成部２２は、コミュニティ構成主体４が個人端末装置３により情報流通装置２に対して行う情報流通手段の操作に関する実行要求を、コミュニティ情報管理装置１が解釈できる形式にし、コミュニティ構成主体４のＩＤと共に、コミュニティ情報管理装置１に伝える。
【００４４】
回答リスト解釈部２３は、コミュニティ情報管理装置１から提供される回答リストに記述されている情報流通先に関する情報を解釈する。
【００４５】
情報流通手段２１は、メール、電子掲示板、ＴＶ会議システム、チャットなどのサーバとして機能し、コミュニティ情報管理装置１から受け取った回答リストに記述されている情報流通先に関する情報を基に、コミュニティ内の個人端末装置３に対して、当該実行要求を反映させ実行する。
【００４６】
図５は、本発明の一実施の形態におけるシステムの動作のフローチャートである。
【００４７】
各コミュニティ構成主体４について、コミュニティユーザ情報が登録され、コミュニティ情報管理装置１のコミュニティ情報データベース部１１に格納管理されており、また、その際に、コミュニティ情報管理装置１のＩＤ発行部１２によりコミュニティ構成主体４にはコミュニティ構成主体４を一意的に決定するＩＤが発行されているものとする。
【００４８】
コミュニティ構成主体４は、個人端末装置３により情報流通装置２にＩＤと共に、情報送信など情報流通手段２１の操作に関する実行要求を行う（ステップ１０１）。
【００４９】
情報流通装置２は、当該実行要求を要求リスト作成部２２において、コミュニティ情報管理装置１が解釈できる形式にし、コミュニティ構成主体４のＩＤと共に、コミュニティ情報管理装置１に伝え、当該実行要求について、当該ＩＤを有するコミュニティ構成主体４の権限の有無の問い合わせを行う（ステップ１０２）。
【００５０】
コミュニティ管理装置１は、情報流通装置２から情報流通手段２１の操作に関する実行要求とＩＤを外部アクセス部１４で受け取り（ステップ１０３）、認証部１３において当該ＩＤを基に、コミュニティ構成主体４を認証し、特定し（ステップ１０４）、認証が成立した場合、情報検索部１５が当該ＩＤを基に、コミュニティ情報データベース部１１からコミュニティ構成主体４のコミュニティにおける情報流通に関する権限情報を検索する。
【００５１】
権限判定部１６は、検索したコミュニティ構成主体４のコミュニティにおける情報流通に関する権限情報を参照し（ステップ１０５）、当該コミュニティ構成主体４の情報流通手段２１の操作に関する実行要求に対する権限の有無を判断する（ステップ１０６）。
【００５２】
権限判断部１６の判断結果に基づいて、当該コミュニティ構成主体４が権限を有すると判断された場合、回答リスト作成部１７は、コミュニティ構成主体４に許可される範囲内で、且つ、当該コミュニティ構成主体４の要求を反映させる情報流通先となる個人端末装置の接続に必要な情報をコミュニティ情報データベース部１１から抽出し（ステップ１０７）、当該情報を記述した回答リストを作成する（ステップ１０８）。
【００５３】
また、コミュニティ情報管理装置１は、認証部１３で認証が成立しない場合、もしくは、権限判断部１６でコミュニティ構成主体４が要求に対する権限がないと判断された場合、もしくは、コミュニティ構成主体４に許可される範囲内で、当該コミュニティ構成主体４の要求を反映させる情報流通先が存在しない場合は、当該情報を含む回答リストとして情報流通装置２提供し、終了する。
【００５４】
作成した回答リストは、アクセス部１４から情報流通装置２に提供される。
【００５５】
情報流通装置２は、コミュニティ情報管理装置１から提供される回答リストに記述されている情報流通先に関する情報を回答リスト解釈部２３により解釈し（ステップ１０９）、記述されているコミュニティ構成主体の個人端末装置４に対して、コミュニティ構成主体４の当該実行要求を実行する（ステップ１１０）。
【実施例】
以下、図面と共に本発明の実施例を説明する。
【００５６】
本実施例では、ＴＶ会議システムとメーリングリストを利用した、ネットワークを介して構成されるコミュニティにおいて、討議者とオブザーバの２つの異なる属性のコミュニティ構成主体を設定する場合に、本発明を適用した例を示す。図６は、本発明の一実施例のコミュニティ情報管理装置に登録するコミュニティユーザ情報の例を示す。ここでは、属性情報として、討議者とオブザーバを設定している。また、権限情報や、ＴＶ会議システムの映像送受信、音声送受信、メーリングリストの送受信について権限の有無を設定している。その他に、コミュニティ構成主体の名称、ＩＤ、メールアドレス、ＩＰアドレスを各コミュニティ構成主体について登録を行う。以上のコミュニティユーザ情報は、コミュニティ情報管理装置１のコミュニティ情報データベース部１１で管理される。
【００５７】
属性が「討議者」として登録されているコミュニティ構成主体４が、会議予定の報告などの情報を、メーリングリストを利用してコミュニティに送信した場合、討議者、オブザーバ両方の属性のコミュニティ構成主体４に受信が許可されているので、コミュニティ情報管理装置１は、メールサーバとなっている情報流通手段２１に対し、送信の許可情報と、メーリングリストに登録されているメールアドレスの情報を記述した回答リストを提供する。この回答リストを基に、情報流通装置２は、メール配信を行うため、メーリングリストに登録されているコミュニティ構成主体がメールを受信することができる。しかし、属性が「オブザーバ」として登録されているコミュニティ構成主体は、メーリングリストによる送信が許可されていないので、メーリングリストのアドレスを使用して送信したとしても、コミュニティ情報管理装置１から、メールサーバとなる情報流通装置２に対して、送信先のメールアドレス情報のない「不許可」を表す情報が記述された回答リストが提供される。よって、この場合、情報流通装置２によるメール送信は行わない。
【００５８】
また、ＴＶ会議では、属性が「討議者」のコミュニティ構成主体は、すべての操作実行が許可されているため、ＴＶ会議システムのサーバとなっている情報流通装置２に接続し、映像、及び音声の送受信が可能となる。つまり、ＴＶ会議に実際参加し、発言も行うことができる。それに対し、「オブザーバ」は、映像、及び音声の受信は許可されているが、送信は許可されていないため、ＴＶ会議の内容を見聞きすることはできるが、発言をすることはできない。
【００５９】
また、メーリングリストの送受信などについて、属性に応じた設定を行い、例えば、図７のように設定することにより、属性が「オブザーバ」として登録されているコミュニティ構成主体が、メーリングリストを利用してコミュニティにメールを送信した場合、属性が「オブザーバ」のコミュニティ構成主体への送信のみが許可されているので、コミュニティ情報管理装置１は、メールサーバとなっている情報流通手段２１に対し、送信の許可情報と、メーリングリストに登録されているメールアドレスのうち、属性が「オブザーバ」となっているコミュニティ構成主体のメールアドレスの情報のみを記述した回答リストを提供する。これにより、属性が「オブザーバ」のコミュニティ構成主体がメーリングリストを利用した場合は、属性が「オブザーバ」のコミュニティ構成主体にだけメールが送信される。また、同様に、属性が「討議者」であるコミュニティ構成主体４がメーリングリストを利用してメール送信を行う場合は、全てのコミュニティ構成員にメールが送信されることになる。
【００６０】
登録するコミュニティユーザ情報の権限情報の項目は、上記の例の限りではなく、より詳細な設定がされてもよい。
【００６１】
また、コミュニティユーザ情報の登録方法は、コミュニティの管理者が行ってもよいし、その他の方法であってもよい。
【００６２】
また、上記のコミュニティ情報管理装置１の構成要素をプログラムとして構築し、コミュニティ情報管理装置として利用されるコンピュータにインストールする、または、ネットワークを介して流通させることも可能である。
【００６３】
さらに、構築されたプログラムをコミュニティ情報管理装置として利用されるコンピュータに接続されるハードディスク装置や、フレキシブルディスク、ＣＤ−ＲＯＭ等の可搬記憶媒体に格納しておき、本発明を実施する際にインストールすることも可能である。
【００６４】
【発明の効果】
上述のように、本発明によれば、複数の異なる属性の人々により構成されるコミュニティにおいても、コミュニティ構成主体は、単一属性の人々で構成されるコミュニティに、メーリングリストやＢＢＳ（Ｂｕｌｌｅｔｉｎ　Ｂｏａｒｄ　Ｓｙｓｔｅｍ）　などによりメッセージの一括送信を行うのと同様な感覚で情報を発信しながらも、情報送信先の制限や、情報受信先での返信などの制限が行われ、コミュニティにおける情報流通が管理されるようになる。
【００６５】
このように、コミュニティ情報管理装置で、各コミュニティ構成主体のコミュニティ内での情報流通装置の操作に関する各種権限を管理することにより、同じ情報流通装置を使用しながらも、使用するコミュニティ構成主体の属性に応じて使用範囲を設定することができる。
【００６６】
また、各情報流通装置の操作権限情報を一括して管理し、必要に応じて、コミュニティ情報管理装置が、各情報流通装置に、コミュニティ構成主体の個人端末装置への接続情報を提供することにより、コミュニティ構成主体自身は、送信先や接続先情報を詳細に把握する必要は無くなる。
【００６７】
また、コミュニティ構成主体の接続先情報の変更、属性情報の変更、各種権限の変更がある場合でも、コミュニティ情報管理装置で変更手続を済ませるだけでよく、情報流通手段毎に設定を変える必要もなくなる。
【図面の簡単な説明】
【図１】本発明の原理を説明するための図である。
【図２】本発明の原理構成図である。
【図３】本発明の一実施の形態におけるコミュニティの中での情報流通の管理方法が適用されるプラットフォームを示す図である。
【図４】本発明の一実施の形態におけるシステム構成図である。
【図５】本発明の一実施の形態におけるシステムの動作を示すフローチャートである。
【図６】本発明の一実施例におけるコミュニティ情報管理装置に登録するコミュニティユーザ情報の例（その１）である。
【図７】本発明の一実施例におけるコミュニティ情報管理装置に登録するコミュニティユーザ情報の例（その２）である。
【符号の説明】
１　コミュニティ情報管理装置
２　情報流通装置
３　個人端末装置
４　コミュニティ構成主体
１１　コミュニティ情報データベース、コミュニティ情報データベース部
１２　ＩＤ発行手段、ＩＤ発行部
１３　ＩＤ認証手段、ＩＤ認証部
１４　外部アクセス手段、外部アクセス部
１５　検索手段、情報検索部
１６　権限判断手段、権限判断部
１７　回答リスト作成手段、回答リスト作成部
１８　コミュニティユーザ情報
２１　情報流通手段
２２　要求リスト作成部
２３　回答リスト解釈部
【図１】
2004110545.tif 000003
【図２】
2004110545.tif 000004
【図３】
2004110545.tif 000005
【図４】
2004110545.tif 000006
【図５】
2004110545.tif 000007
【図６】
2004110545.tif 000008
【図７】
2004110545.tif 000009